(57)【要約】【課題】子供がステップ板に乗る際に、うっかり足を子供用ステップ板の後端に引っ掛けたり、また、客がショッピングカートを押して歩く際に、足を前へ大きく出しすぎてステップ板の後端にぶつけたりしても、足が痛くないようにする。【解決手段】  ショッピングカート１は、基枠２と、基枠から立設した左右の支柱５，６と、左右の支柱の前に設けられた上部カゴ載せ１５と、基枠の後部の上方に設けられた子供用ステップ板１１とを備えている。さらに、子供用ステップ板１１の後端を覆う緩衝バンパー１９を備えている。【選択図】図２
2020059474.tif 000002
【特許請求の範囲】
【請求項１】
基枠（２）と、
基枠（２）から立設した左右の支柱（５，６）と、
左右の支柱（５，６）の前に設けられた上部カゴ載せ（１５）と、
基枠（２）の後部の上方に設けられた子供用ステップ板（１１）と
を備えるショッピングカートにおいて、
子供用ステップ板（１１）の後端を覆う緩衝バンパー（１９）を備えていることを特徴とするショッピングカート。
【請求項２】
緩衝バンパー（１９）は、弾性材料からなる中空の筒状体又は中実の棒状体である請求項１記載のショッピングカート。
【発明の詳細な説明】
【技術分野】
【０００１】
本発明は、スーパーマーケット等の販売店で買い物をする際に使用するショッピングカートに関する。
【背景技術】
【０００２】
ショッピングカートのなかには、買物カゴを運ぶだけでなく、子供連れで買い物をする際の便宜のために、子供を一緒に運べるようにしたタイプがある。このタイプとしては、乳幼児が腰掛けることができる乳幼児用座席を設けたものが一般的であるが（特許文献１〜３）、近年、子供（幼児ないし低学年学童）が立って載ることができる床面（ステップ板）を設けたものも提案されている（特許文献４，５）。
【０００３】
特許文献４，５のショッピングカートは、車台と、支柱と、操作ハンドルと、上部かご枠とを備え、車台には前記ステップ板が設けられ、上部かご枠には乳幼児を座らせられる乳幼児用座席が設けられている。支柱は、車台から立設する縦部材と、縦部材を支持する支持部材と、縦部材の両側部（垂直部分）を連結する横部材とを有している。縦部材は、その上端が後方に屈曲されるとともに折り返して前方に屈曲されたのち（この部分を便宜上「横部分」という。）、左右に屈曲されて連結されている（この部分を便宜上「前部分」という。）。横部分により、大人用（客用）ハンドルが形成される。前部分により、ステップ板に立ち乗りした子供が握る子供用ハンドルが形成される。また、横部分と前部分とにより、後方を除いて周囲を囲む「枠」が形成され、この枠は、ステップ板に立ち乗りした子供の動く範囲を所定の範囲に規制するガイド枠として機能する。
【先行技術文献】
【特許文献】
【０００４】
【特許文献１】実開昭５７−２２４６６号公報
【特許文献２】特開平２−７４４６２号公報
【特許文献３】特開平９−３９７９７号公報
【特許文献４】特開２０１１−２４６０７７号公報
【特許文献５】特開２０１５−７７９７０号公報
【発明の概要】
【発明が解決しようとする課題】
【０００５】
しかし、特許文献４，５のショッピングカートには、次の問題があった。
（ア）子供がステップ板に乗る際に、うっかり足を子供用ステップ板の後端に引っ掛ける可能性がある。また、客がショッピングカートを押して歩く際に、足を前へ大きく出しすぎてステップ板の後端にぶつける可能性がある。これらのときに、ステップ板は金属で形成されていて硬いため、足に痛みが生じる。
（イ）横部分は、ステップ板に立った子供の主に上腕あたりの側方移動範囲を規制する。また、支柱の支持部材も、ステップ板に立った子供の主に下肢の側方移動範囲を規制する。しかし、支柱の縦部材と支持部材との間においては同規制機能がないため、子供がこの間から外側方へはみ出るおそれがある。
（ウ）上部かご枠は、ステップ板に立った子供の主に腹あたりの前方移動範囲を規制する。しかし、上部かご枠よりも下方においては同規制機能がないため、子供がこの下方から前方へはみ出るおそれがある。
【０００６】
そこで、本発明の目的は、上記（ア）の問題に対処し、子供がステップ板に乗る際に、うっかり足を子供用ステップ板の後端に引っ掛けたり、また、客がショッピングカートを押して歩く際に、足を前へ大きく出しすぎてステップ板の後端にぶつけたりしても、足が痛くないショッピングカートを提供することにある。
【課題を解決するための手段】
【０００７】
本発明のショッピングカートは、
基枠（２）と、
基枠（２）から立設した左右の支柱（５，６）と、
左右の支柱（５，６）の前に設けられた上部カゴ載せ（１５）と、
基枠（２）の後部の上方に設けられた子供用ステップ板（１１）と
を備えるショッピングカートにおいて、
次の手段［１］を採ったことを特徴とする。
また、手段［１］に加えて、次の手段［２］及び［３］のいずれか一方又は両方を採ることができる。
【０００８】
［１］子供用ステップ板（１１）の後端を覆う緩衝バンパーを備えている。
【０００９】
（作用）
子供が子供用ステップ板に乗る際に、うっかり足（スネ等）を子供用ステップ板の後端に引っ掛けたり、また、客がショッピングカートを押して歩く際に、足を前へ大きく出しすぎて子供用ステップ板の後端にぶつけたりしても、緩衝バンパーが足に受ける衝撃を吸収して緩和するため、足が痛くない。
【００１０】
［２］左右の支柱は、それぞれ、基枠（２）の前後方向中間部から立設した第１支柱（５）と、基枠（２）の後部から立設した第２支柱（６）とからなり、第１支柱（５）と第２支柱（６）との間に、子供用ステップ板（１１）に立ち乗りした子供の側方移動範囲を規制する側方ガード部材（１３）を備えている。
【００１１】
（作用）
側方ガード部材は、第１支柱と第２支柱との間において、子供用ステップ板に立った子供の側方移動範囲を規制するガードとして機能するので、子供がこの間から外側方へはみ出るおそれがなく、立ち乗りをより安定させることができる。
【００１２】
［３］子供用ステップ板（１１）の前端部と上部カゴ載せ（１５）の下端部との間に、子供用ステップ板（１１）に立ち乗りした子供の前方移動範囲を規制する前方ガード部材（１７）を備えている。
【００１３】
（作用）
前方ガード部材は、子供用ステップ板の前端部と上部カゴ載せの下端部との間において、子供用ステップ板に立った子供の前方移動範囲を規制するガードとして機能するので、子供がこの間から前方へはみ出るおそれがなく、立ち乗りをより安定させることができる。
【発明の効果】
【００１４】
本発明によれば、子供がステップ板に乗る際に、うっかり足を子供用ステップ板の後端に引っ掛けたり、また、客がショッピングカートを押して歩く際に、足を前へ大きく出しすぎてステップ板の後端にぶつけたりしても、足が痛くないという優れた効果を奏する。
【図面の簡単な説明】
【００１５】
【図１】図１は、実施例のショッピングカートを正面側から見た斜視図である。
【図２】図２は、同ショッピングカートを背面側から見た斜視図である。
【図３】図３は、同ショッピングカートの側面図である。
【図４】図４は、同ショッピングカートの弾性パンパーの斜視図である。
【発明を実施するための形態】
【００１６】
１．緩衝バンパー
緩衝バンパーは、子供用ステップ板の後端を、全て覆うものでもよいし、左右方向の中央部を含む主要部を覆うものでもよい。
緩衝バンパーの構造としては、特に限定されないが、弾性材料よりなる中空の筒状体又は中実の棒状体、板状体をバネで支えて弾性的に変位可能としたもの等を例示できできる。
緩衝バンパーの弾性材料としては、特に限定されないが、ゴム、軟質樹脂、エラストマー等を例示できる。
【００１７】
２．側方ガード部材
側方ガード部材は、第１支柱と第２支柱と基枠とで囲まれる領域のうち、基枠の上端レベルから少なくとも上部カゴ載せの下端レベルにまでわたるものが好ましく、基枠の上端レベルから上部カゴ載せの上端レベルにまでわたるものがより好ましい。レベルとは高さのレベルである（以下同じ）。
側方ガード部材の構造としては、特に限定されないが、パネル状、ネット状、柵状、棒状等を例示できる。
側方ガード部材の材料としては、特に限定されないが、金属、樹脂等を例示できる。
【００１８】
３．前方ガード部材
前方ガード部材は、子供用ステップ板と上部カゴ載せと左右の支柱とで囲まれる領域のうち、子供用ステップ板の上端レベルから少なくとも上部カゴ載せの下端レベルの１／２のレベルにまでわたるものが好ましく、子供用ステップ板の上端レベルから上部カゴ載せの下端レベルにまでわたるものがより好ましい。
前方ガード部材の構造としては、特に限定されないが、ネット状、パネル状、柵状、棒状等を例示できる。
前方ガード部材の材料としては、特に限定されないが、金属、樹脂等を例示できる。
【実施例】
【００１９】
次に、本発明の実施例について図１〜図４を参照して説明する。但し、説明する各部の構造、形状、数量等は例示であり、発明の趣旨を逸脱しない範囲で適宜変更できる。
【００２０】
実施例のショッピングカート１は、基枠２と、基枠２から立設した左右の支柱５，６と、左右の支柱５，６の高さ方向中間部の前に設けられた上部カゴ載せ１５と、上部カゴ載せ１５の後あおり壁１６に設けられた乳幼児用座席２０と、基枠２の後部の上方に設けられた子供用ステップ板１１と、左右の支柱５，６の上部から延出して（又は該上部に）設けられた左右の子供用ハンドル９と、左右の支柱５，６の上部に（又は該上部から延出して）設けられた左右の客用ハンドル７とを備える。ショッピングカート１は、さらに下部カゴ載せ１４、乳幼児用座席２０、及びキャスター２５を備える。
【００２１】
基枠２は、左右に延びる前枠３と、前枠３の左右端から後方へ延びる左右の側枠４とを含む。基枠２は、金属製のフレーム材（フレームを構成可能な例えばパイプ材、型材等の素材。以下同じ。）からなる。キャスター２５は、左右の側枠４の前端付近と、左右の第１支柱５の下に取り付けられている。
【００２２】
左右の支柱は、それぞれ、側枠４の前後方向中間部から立設した第１支柱５と、側枠４の後部から立設した第２支柱６とからなる。第１支柱５と第２支柱６とは金属製のフレーム材からなり、第１支柱５の上端と第２支柱６の上端とは連続しており屈曲形状となっている。
【００２３】
左右の第１支柱５は、左右の側枠４の前後方向中間部から、まず垂直に上へ５〜２０ｃｍ延び、続いて屈曲により垂直に対して１５〜２５度ほど前傾して上へ１５〜３０ｃｍ延び、続いて屈曲により垂直に対して１０〜２０度ほど後傾して上へ２５〜３０ｃｍ延び、続いて屈曲により垂直に対して４５〜６０度ほど後傾して上へ５〜２０ｃｍ延びており、側枠４の上面からの高さが６５〜８０ｃｍである。
【００２４】
左右の第２支柱６は、左右の側枠４の後部から、まず垂直に上へ５〜２０ｃｍ延び、続いて屈曲により垂直に対して３５〜５５度ほど前傾して上へ１５〜３０ｃｍ延び、続いて屈曲により垂直に対して１５〜３５度ほど後傾して上へ２０〜３５ｃｍ延び、続いて屈曲により垂直に対して５０〜７０度ほど前傾して上へ５〜２０ｃｍ延びた上部（これが客用ハンドル７）となっており、側枠４の上面からの高さが６５〜８０ｃｍである。
【００２５】
子供用ハンドル９は、子供用ステップ板１１に立って載った子供が握るものである。子供用ハンドル９は、左右の第１支柱５の後傾した上部の中間部から斜め前上方に延出してから、屈曲して左右方向内側へ延出して中央部で突き合わせ状に連続したものであり、金属製のフレーム材からなり、図示例では基端が第１支柱５の上部に溶接固定されている。子供用ハンドル９は、フレーム材のままでもよいし、フレーム材の外周に取り付けられた樹脂、ゴム等の高分子材料製の筒状のグリップ１０を含むものでもよい。
【００２６】
客用ハンドル７は、上記のとおり左右の第２支柱６の前傾した上部からなる。客用ハンドル７は、フレーム材のままでもよいし、フレーム材の外周に取り付けられた樹脂、ゴム等の高分子材料製の筒状のグリップ８を含むものでもよい。
【００２７】
子供用ステップ板１１は、子供（幼児ないし低学年学童）（図３に２点差線で示す）が立って載ることができるものであり、金属、樹脂等によりその上で子供が跳ねても耐えうる強度に形成されている。子供用ステップ板１１は、第１支柱５の下部の後ろにある。ショッピングカート１のネスティング時に、子供用ステップ板１１の下方へ後ろのショッピングカートの基枠２が進入しうるように、子供用ステップ板１１の下面レベルは基枠２の上面レベルよりも上方にある。子供用ステップ板１１をこの高さに支えるために、子供用ステップ板１１は、例えば、左の第１支柱５と第２支柱６の下部間に架設された支持バー１２と、右の第１支柱５と第２支柱６の下部間に架設された支持バー１２との間に、架け渡されている。
また、子供用ステップ板１１は、買物カゴを載せられる大きさに形成されている。
【００２８】
子供用ステップ板１１の後端には、同後端の全体を覆う緩衝バンパー１９が取り付けられている。図４に例示する緩衝バンパー１９は、ゴム、軟質樹脂、エラストマー等の弾性材料よりなる中空の断面Ｄ字の筒状体であり、左右長５００〜６００ｍｍ、奥行１０〜４０ｍｍ、高さ２０〜４０ｍｍである。緩衝バンパー１９緩衝バンパー１９は、Ｄ字の湾曲側を後方へ向け、Ｄ字の平坦側を子供用ステップ板１１の後端に当ててねじ又はリベットで取り付けられている。
【００２９】
第１支柱５と第２支柱６の間に、子供用ステップ板１１に立った子供（又は置いた物品）の側方移動範囲を規制する側方ガード部材１３が設けられている。第２支柱６も側方移動範囲を規制するが、さらに側方ガード部材１３が設けられていると、第１支柱５と第２支柱６の間において同規制機能が得られる。
図示例の側方ガード部材１３は、第１支柱５と第２支柱６と側枠４とで囲まれる領域のうち、基枠の上端レベルから上部カゴ載せ１５の上端レベルまでにわたるため、同規制機能が高い。また、側方ガード部材１３は金属製のパネル状であるため、表面に絵柄や文字を付けたり広告シートを貼ったりすることができる。側方ガード部材１３は、同領域の全体又は一部にわたるパネル状、ネット状、柵状、棒状等でもよい。側方ガード部材１３は、樹脂製でもよい。
図示例の側方ガード部材１３は、第１支柱５、第２支柱６及び子供用ステップ板１１に取り付けられているが、取り付け先はこれに限定されない。
【００３０】
子供用ステップ板１１の前端部の上に、子供用ステップ板１１に立った子供の（又は置いた物品）の前方移動範囲を規制する前方ガード部材１７が設けられている。上部カゴ載せ１５も前方移動範囲を規制するが、さらに前方ガード部材１７が設けられていると、上部カゴ載せ１５の下方において同規制機能が得られる。
図示例の前方ガード部材１７は、子供用ステップ板１１と上部カゴ載せ１５と左右の第１支柱５とで囲まれた領域の全体にわたる金属製のネット状であるため、同規制機能が高い。前方ガード部材１７は、同領域の全体又は一部にわたる板状、柵状、棒状等でもよい。前方ガード部材１７は、樹脂製でもよい。
図示例の前方ガード部材１７は、左右の第１支柱５に取り付けられているが、取り付け先はこれに限定されない。
【００３１】
下部カゴ載せ１４は、基枠２の前部の上に設けられており、第１支柱５の下部の前にある。下部カゴ載せ１４は、第１支柱５に固定された後柵と、後柵の下部から前方へ延びた下柵と、下柵の全部を上向きに曲げた前柵と、左右の側枠４に立設した左右の側柵とからなる。
【００３２】
上部カゴ載せ１５は、左右の子供用ハンドル９に固定された回動支持材１８に対して上端部が回動可能に掛着された後あおり壁１６と、第１支柱５に固定された左右の側壁と、側壁に続く底壁と、側壁及び底壁に続く前壁とからなる。ショッピングカートのネスティング時に、上部カゴ載せ１５の内部へ後ろのショッピングカートの上部カゴ載せが進入できるように、後あおり壁１６は後ろの上部カゴ載せにあおられて上方へ回動する。
【００３３】
以上のように構成された本実施例のショッピングカート１によれば、次の作用効果が得られる。
（１）上部カゴ載せ１５に買物カゴを載せ、子供用ステップ板１１に子供が立ち乗りした状態で、ショッピングカート１を移動させて使用することができる。また、子供用ステップ板１１に子供が立ち乗りしないときには、子供用ステップ板１１にも買物カゴ等を載せることができる。
【００３４】
（２）子供が子供用ステップ板１１に乗る際に、うっかり足（スネ等）を子供用ステップ板１１の後端に引っ掛けたり、また、客がショッピングカート１を押して歩く際に、足を前へ大きく出しすぎて子供用ステップ板１１の後端にぶつけたりしても、緩衝バンパー１９が足に受ける衝撃を吸収して緩和するため、足が痛くない。
緩衝バンパー１９は、子供用ステップ板１１に買物カゴや荷物を載せるときにも緩衝作用を発揮し、商品等の破損を防ぐことができる。
【００３５】
（３）側方ガード部材１３は、第１支柱５と第２支柱６との間において、子供用ステップ板１１に立った子供の側方移動範囲を規制するガードとして機能するので、子供がこの間から外側方へはみるおそれがなく、立ち乗りをより安定させることができる。
【００３６】
（４）前方ガード部材１７は、子供用ステップ板１１の前端部と上部カゴ載せ１５の下端部との間において、子供用ステップ板に立った子供の前方移動範囲を規制するガードとして機能するので、子供がこの間から前方へはみ出るおそれがなく、立ち乗りをより安定させることができる。
【００３７】
なお、本発明は前記実施例の構成に限定されるものではなく、発明の趣旨から逸脱しない範囲で、適宜変更して具体化することもできる。
【符号の説明】
【００３８】
１    ショッピングカート
２    基枠
３    前枠
４    側枠
５    第１支柱
６    第２支柱
７    客用ハンドル
８    グリップ
９    子供用ハンドル
１０    グリップ
１１    子供用ステップ板
１２    支持バー
１３    側方ガード部材
１４    下部カゴ載せ
１５    上部カゴ載せ
１６    後あおり壁
１７    前方ガード部材
１８    回動支持材
１９    緩衝バンパー
２５    キャスター
【図１】
2020059474.tif 000003
【図２】
2020059474.tif 000004
【図３】
2020059474.tif 000005
【図４】
2020059474.tif 000006